(57)【要約】      （修正有）【課題】電子機器を物体上に立てたり、身につけたりすることができ、素早く反りかえって輪状になる機能を備えた支持構造を提供する。【解決手段】電子機器の裏面にとりつけられるとともに、蓋体と、少なくとも一つの折り曲げメカニズムとからなる。蓋体は電子機器の裏面に取り付けられ、折り曲げメカニズムは、蓋体裏面に設けられるとともに、彎曲円弧状を呈する少なくとも一つの変形シートを備え、変形シートにはプレスポイントが設けられる。以上の構造により、前記プレスポイントを押すと、彎曲円弧状の変形シートの平らな形状に変化が生じ、変形シートの端縁が外部に向かって彎曲して反りかえり、変形シートの彎曲部分で支えて電子機器を物体（例えば、机）に立てることができる、或いは、変形シートの彎曲部分で挟みこんで人体（例えば、手）につけることができる。【選択図】図５
0003173527.tif 000002
【実用新案登録請求の範囲】
【請求項１】
電子機器の裏面に取り付けられる、素早く反りかえって輪状になる機能を備えた支持構造であって、
前記支持構造は、蓋体と、少なくとも一つの折り曲げメカニズムとからなり、
蓋体は、前記電子機器の裏面に設けられ、
少なくとも一つの折り曲げメカニズムは、前記蓋体裏面に設けられるとともに、少なくとも一つの変形シートと少なくとも一つの閉じ合わせシートからなり、
前記変形シートにはプレスポイントが設けられ、前記閉じ合わせシートは、前記変形シート下方に設けられるとともに、前記プレスポイントから離して設けられ、
前記プレスポイントを押した時、前記変形シートの形状に変化が生じ、変形シートは外部に向かって素早く彎曲して反りかえることを特徴とする、素早く反りかえって輪状になる機能を備えた支持構造。
【請求項２】
前記変形シートの断面の形状は、彎曲円弧状を呈することを特徴とする、請求項１に記載の素早く反りかえって輪状になる機能を備えた支持構造。
【請求項３】
前記変形シートの両端は、外部に向かって彎曲して反りかえることを特徴とする、請求項２に記載の素早く反りかえって輪状になる機能を備えた支持構造。
【請求項４】
前記変形シートは、両端が狭く中間が広い形状を呈することを特徴とする、請求項３に記載の素早く反りかえって輪状になる機能を備えた支持構造。
【請求項５】
前記変形シートのプレスポイントには、回転軸心が設けられることを特徴とする、請求項１または請求項４に記載の素早く反りかえって輪状になる機能を備えた支持構造。
【請求項６】
前記変形シートの外部は被覆層に被覆され、蓋体の上蓋部の外部も被覆層に被覆されることを特徴とする、請求項１に記載の素早く反りかえって輪状になる機能を備えた支持構造。
【請求項７】
前記蓋体はスライド溝を備え、変形シートはスライド溝内に設けられ、それにより、変形シートはスライド溝内でスライド移動させることができることを特徴とする、請求項６に記載の素早く反りかえって輪状になる機能を備えた支持構造。
【請求項８】
前記スライド溝の外部に配置された変形シートは、外部に向かって素早く彎曲して反りかえることを特徴とする、請求項７に記載の素早く反りかえって輪状になる機能を備えた支持構造。
【請求項９】
前記蓋体は、第一蓋体部と、第二蓋体部とからなり、第一蓋体部と第二蓋体部の間は、変形シートで連結されることを特徴とする、請求項１に記載の素早く反りかえって輪状になる機能を備えた支持構造。
【請求項１０】
前記蓋体は、上蓋部と、下蓋部とからなり、上蓋部は少なくとも一つの溝部を有し、下蓋部には裏面が設けられ、前記上蓋部は下蓋部の裏面に設けられ、前記折り曲げメカニズムの変形シート及び閉じ合わせシートは、上蓋部の溝部の位置に配置されることを特徴とする、請求項１に記載の素早く反りかえって輪状になる機能を備えた支持構造。
【請求項１１】
前記変形シートの両端は、ベルトが連結されることを特徴とする、請求項１に記載の素早く反りかえって輪状になる機能を備えた支持構造。
【請求項１２】
前記折り曲げメカニズムは更に支持シートを備え、前記支持シートは、変形シート下方に設けられるとともに、前記プレスポイントに対応し、前記支持シートは変形シートと垂直に交差して設けられることを特徴とする、請求項１に記載の素早く反りかえって輪状になる機能を備えた支持構造。
【考案の詳細な説明】
【技術分野】
【０００１】
本考案は素早く反りかえって輪状になる機能を備えた支持構造に関し、特に蓋体の裏面に少なくとも一つの折り曲げメカニズムを設け、前記折り曲げメカニズムの変形シートの端縁は外部に向かって彎曲して反りかえり、その変形シートの彎曲部分を支えにする或いは挟みこむ用に使用し、電子機器を物体（例えば、机）に立てることができる支持構造に関する。
【背景技術】
【０００２】
いくつかのメーカーは、スマートフォンやタブレットＰＣを支える台を開発している。この支える台によって、スマートフォンやタブレットＰＣを机の上に立てることができ、それにより、使用者は長時間スマートフォンやタブレットＰＣを手に持つ不便や揺れてしまう状況を防ぐことができる。しかしながら、前記支える台によって、スマートフォンやタブレットＰＣを机の上に立てることはできるものの、前記支える台の体積は大きいことが多く、スマートフォンやタブレットＰＣと一体化させることができないため、使用者は別途前記支える台を持ち運ばないとならず、持ち運んで使用するのに不便である。
【考案の概要】
【考案が解決しようとする課題】
【０００３】
そこで、本考案は、電子機器を物体上に立てたり、人体に身につけたりすることができるようになる、素早く反りかえって輪状になる機能を備えた支持構造を提供することを目的とする。
【課題を解決するための手段】
【０００４】
本考案による素早く反りかえって輪状になる機能を備えた支持構造は、主に、電子機器の裏面にとりつけられるとともに、蓋体と、少なくとも一つの折り曲げメカニズムとからなる。蓋体は電子機器の裏面に取り付けられ、折り曲げメカニズムは、蓋体裏面に設けられるとともに、彎曲円弧状を呈する少なくとも一つの変形シートを備え、変形シートにはプレスポイントが設けられる。以上の構造により、前記プレスポイントを押すと、彎曲円弧状の変形シートの平らな形状に変化が生じ、変形シートの端縁が外部に向かって彎曲して反りかえり、変形シートの彎曲部分で支えて電子機器を物体（例えば、机）に立てることができる、或いは、変形シートの彎曲部分で挟みこんで人体（例えば、手）に身につけることができる。それにより、前記支持構造の機能性、運用性、利便性が向上する。
【図面の簡単な説明】
【０００５】
【図１】本考案の支持構造の実施例１を組み合わせた状態を示した斜視図である。
【図２】本考案の支持構造の実施例１の構造を示した分解図である。
【図３】本考案の支持構造の実施例２を示した斜視図である。
【図４】本考案の支持構造の実施例２を操作した状態を示した斜視図である。
【図５】本考案の支持構造の実施例２の第一使用状態を示した斜視図である。
【図６】本考案の支持構造の実施例２の第二使用状態を示した斜視図である。
【図７】本考案の支持構造の実施例２の第三使用状態を示した斜視図である。
【図８】本考案の支持構造の実施例３を示した斜視図である。
【図９】本考案の支持構造の実施例２の第四使用状態を示した斜視図である。
【図１０】本考案の支持構造の実施例４を示した斜視図である。
【図１１】本考案の支持構造の実施例４の第一使用状態を示した斜視図である。
【図１２】本考案の支持構造の実施例５を示した斜視図である。
【図１３】本考案の支持構造の実施例６を示した斜視図である。
【図１４】本考案の支持構造の実施例７を示した斜視図である。
【考案を実施するための形態】
【０００６】
図１、図２、図３、図４、図５に示すように、本考案の素早く反りかえって輪状になる機能を備えた支持構造は、主に、電子機器１００（図１３に図示）の裏面に取り付けられ、支持構造は、蓋体５０と、少なくとも一つの折り曲げメカニズム１からなる。
【０００７】
蓋体５０は、電子機器１００の裏面（図１３に図示）に取り付けられ、蓋体５０は、上蓋部５１と下蓋部５２とからなり、上蓋部５１には少なくとも一つの溝部５１ａが設けられ、下蓋部５２は裏面５２ａを備え、上蓋部５１は、下蓋部５２の裏面５２ａに設けられる。
【０００８】
折り曲げメカニズム１は、蓋体５０の裏面に設けられるとともに、少なくとも一つの変形シート１０と、少なくとも一つの閉じ合わせシート２０と、支持シート１３とからなる。変形シート１０は、棒状のシートであり、その断面形状は彎曲円弧状を呈し、変形シート１０にはプレスポイントＰが設けられ、閉じ合わせシート２０の表面は円弧状を呈し、閉じ合わせシート２０は変形シート１０下方に設けられるとともに、プレスポイントＰから離して設けられる。また、閉じ合わせシート２０は、変形シート１０と同じ方向に設けられる。また、支持シート１３の表面は円弧状を呈し、支持シート１３は、変形シート１０下方に設けられるとともに、プレスポイントＰに対応する。また、支持シート１３は、変形シート１０と垂直方向に交差して設けられる。折り曲げメカニズム１は、前記蓋体５０の裏面に設けられるとともに、上蓋部５１と下蓋部５２の間に配置され、折り曲げメカニズム１の変形シート１０と閉じ合わせシート２０は、上蓋部５１の溝部５１ａの位置に配置される。また、変形シート１０は、両端が狭く中間が広い形状を呈することができる（図８に図示）。
【０００９】
同時に、図３を参照する。折り曲げメカニズム１の変形シート１０の外部は、被覆層（例えば、布材、本革等の材質）によって被覆され、それにより、折り曲げメカニズム１の支持部１１となる。蓋体５０の上蓋部５１の外部も、同様に被覆層（例えば、布材、布材、本革等の材質）によって被覆される。
【００１０】
図４、図５、図６を同時に参照する。本考案の支持構造を使用していない時は、折り曲げメカニズム１の変形シート１０（即ち、支持部１１）は、平らにして蓋体５０の裏面５２ａに貼りつけられ、蓋体５０を電子機器１００に取り付けた時、一般の電子機器の保護ケースとなる。本考案の支持構造を使用する時は、変形シート１０（即ち、支持部１１）のプレスポイントＰを押すことで、彎曲円弧状を呈する変形シート１０（即ち、支持部１１）は、平らな状態から形状に変化が生じ、変形シート１０（即ち、支持部１１）の端縁が外部に向かって素早く彎曲して反りかえり、変形シート１０（即ち、支持部１１）の彎曲部分によって支持することができる。以上の構造により、電子機器１００を、蓋体５０に設けられた変形シート１０（即ち、支持部１１）によって支えることができ、電子機器１００を、横向き或いは縦向きに物体Ｅ（例えば、机）上に立てることができる（図５と図６に図示）。
【００１１】
図７を同時に参照する。変形シート１０（即ち、支持部１１）の両端の端縁が素早く外部に向かって彎曲し反りかえった後、蓋体５０に設けられた変形シート１０（即ち、支持部１１）で挟むことにより、蓋体５０（電子機器１００を含む）を人体（例えば、手）に身につけることができる。
【００１２】
図９に示すように、本考案は、さらに、変形シート１０のプレスポイントＰに、回転軸心４０を設けることができ、それにより、変形シート１０を蓋体５０上で回転させることができる。
【００１３】
図１０と図１１に示すように、本考案は、蓋体５０にスライド溝５５を設けることができ、変形シート１０はスライド溝５５内に設けられ、それにより、変形シート１０をスライド溝５５内でスライド移動させることができる。また、スライド溝５５外部に配置された変形シート１０は、平らな状態から変化を生じさせることができ、変形シート１０の端縁が素早く外部に向かって彎曲して反りかえり、彎曲して反りかえった変形シート１０によって、蓋体５０を物体に掛けることができる。また、変形シート１０の端縁は延伸して彎曲部１５を形成する。
【００１４】
図１２に示すように、折り曲げメカニズム１は、少なくとも二つの変形シート１０ａ、１０ｂ、少なくとも二つの閉じ合わせシート２０ａ、２０ｂを備えることができ、各変形シート１０には、それぞれ、プレスポイントＰ１、Ｐ２が設けられ、各変形シート１０ａ、１０ｂの下方には、それぞれ、少なくとも一つの閉じ合わせシート２０ａ、２０ｂが設けられ、閉じ合わせシート２０ａ、２０ｂは、それぞれ、プレスポイントＰ１、Ｐ２から離して設けられる。各変形シート１０ａ、１０ｂのプレスポイントＰ１、Ｐ２を押すことにより、各変形シート１０ａ、１０ｂの端縁を外部に向かって素早く彎曲反りかえさせることができ、それにより、各変形シート１０ａ、１０ｂの彎曲部分で支えることができる。
【００１５】
図１３に示すように、蓋体５０は、電子機器１００の裏面に取り付けられ、蓋体５０は、第一蓋体部５３と第二蓋体部５４を備える。第一蓋体部５３と第二蓋体部５４の間は、変形シート１０で連結される。以上の構造により、変形シート１０を押した時、変形シート１０の端縁は外部に向かって素早く彎曲して反りかえり、さらに、それに連動して第二蓋体部５４が持ち上がり、第二蓋体部５４が自動的にめくり上げられる機能を達成することができ、それにより、使用者は、電子機器１００を素早く取り出すことができる。
【００１６】
図１４に示すように、本考案は、変形シート１０（即ち、支持部１１）の両端には、ベルト６０が連結され、変形シート１０（即ち、支持部１１）の両端の端縁が外部に向かって素早く彎曲して反りかえる作用を利用して、変形シート１０（即ち、支持部１１）にとってベルト６０は保護ベルトの役割を果たし、それにより、電子機器１０を人体（例えば、手）に更に固定して身につけさせることができ、緩んでとれてしまうことを防ぐことができる。
【符号の説明】
【００１７】
１      折り曲げメカニズム          
１０    変形シート
１１    支持部          
１３    支持シート
１５    彎曲部          
２０    閉じ合わせシート
４０    回転軸心        
５０    蓋体
５１    上蓋部          
５１ａ  溝部
５２    下蓋部          
５２ａ  裏面
５３    第一蓋体部      
５４    第二蓋体部
５５    スライド溝          
６０    ベルト
１００  電子機器      
Ｐ      プレスポイント
Ｅ      物体
【図１】
0003173527.tif 000003
【図２】
0003173527.tif 000004
【図３】
0003173527.tif 000005
【図４】
0003173527.tif 000006
【図５】
0003173527.tif 000007
【図６】
0003173527.tif 000008
【図７】
0003173527.tif 000009
【図８】
0003173527.tif 000010
【図９】
0003173527.tif 000011
【図１０】
0003173527.tif 000012
【図１１】
0003173527.tif 000013
【図１２】
0003173527.tif 000014
【図１３】
0003173527.tif 000015
【図１４】
0003173527.tif 000016